(57)【特許請求の範囲】
【請求項１】
記録装置本体に設けられ、鉛直方向下方のベクトル成分を有する姿勢で搬送される媒体に記録を行う記録部と、
前記記録部により記録の行われた媒体を、鉛直方向下方のベクトル成分を有する姿勢で排出する排出手段と、
前記排出手段により排出される媒体を受けて載置する排紙受けと、  
前記記録装置本体に設けられ、前記排出手段よりも搬送方向下流において前記排紙受けを揺動可能に支持する支点部と、
を備え、
前記排紙受けは、
前記排紙受けが上を向く第１位置にある時に、媒体の記録面が対向するように排出される第１媒体載置面と、
前記第１媒体載置面に対し反対側の面であって、前記排紙受けが上を向く第２位置にある時に、媒体の記録面の反対面が対向するように排出される第２媒体載置面と、を有し、
前記排紙受けの一部は、前記支点部から搬送方向上流に向けて延出しており、前記排紙受けの位置が第１位置と第２位置とで切り替わることで前記延出された排紙受けの一部が媒体の排出経路を切り替える
ことを特徴とする記録装置。
【請求項２】
記録装置本体に設けられ、鉛直方向下方のベクトル成分を有する姿勢で搬送される媒体に記録を行う記録部と、
前記記録部により記録の行われた媒体を、鉛直方向下方のベクトル成分を有する姿勢で排出する、排出駆動ローラーと排出従動ローラーからなる排出ローラー対と、
前記排出ローラー対により排出される媒体を受けて載置する排紙受けと、  
を備え、
前記排紙受けは、
前記排紙受けが上を向く第１位置にある時に、媒体の記録面が対向するように排出される第１媒体載置面と、
前記第１媒体載置面に対し反対側の面であって、前記排紙受けが上を向く第２位置にある時に、媒体の記録面の反対面が対向するように排出される第２媒体載置面と、を有し、
前記排紙受けの搬送方向上流側の端部は、前記排紙受けが前記第１位置または前記第２位置にある時に、前記排出ローラー対のニップ点よりも前記排出駆動ローラー側または前記排出従動ローラー側に位置する、
ことを特徴とする記録装置。
【請求項３】
請求項２に記載の記録装置において、
前記排紙受けは、支点部を支点として揺動することにより、前記第１位置と前記第２位置とを切り替える構成であることを特徴とする、記録装置。
【請求項４】
請求項３に記載の記録装置において、
前記排紙受けを、前記第１位置または前記第２位置で保持するロック部を備えることを特徴とする、記録装置。
【請求項５】
請求項１から請求項４のいずれか一項に記載の記録装置において、
前記排紙受けを変位させる駆動源と、
前記駆動源を制御する制御部と、を備えることを特徴とする、記録装置。
【請求項６】
請求項５に記載の記録装置において、
前記制御部は、プリンタードライバーの設定に基づき前記駆動源を制御することを特徴とする、記録装置。
【請求項７】
請求項１または請求項２に記載の記録装置において、
前記排紙受けは、前記記録装置本体に設けられる被係止部に係止される係止部を備え、
前記記録装置本体は、前記係止部がそれぞれに係止可能な二つの被係止部を備え、
一方の被係止部と前記係止部とが係止したときに、前記排紙受けが前記第１位置をとり、
他方の被係止部と前記係止部とが係止したときに、前記排紙受けが前記第２位置をとるように構成されていることを特徴とする、記録装置。
【発明の詳細な説明】
【技術分野】
【０００１】
本発明は、排紙受けを備えた記録装置に関するものである。
【背景技術】
【０００２】
プリンターに代表される記録装置において、記録後の媒体は排出ローラー等の排出手段によって装置本体から排出されて排紙受けに積載される。  
プリンターには、前記媒体を排出する部分の構造として、記録面を排紙受けの媒体載置面と反対側に向けて、すなわち記録面を上側に向けて排出するフェイスアップ方式と、前記媒体の記録面を前記媒体載置面側に向けて、すなわち、記録面を下側に向けて排出するフェイスダウン方式とがある。
【０００３】
フェイスダウン方式では複数ページの文書を１ページ目から順に記録した場合に、記録順に排紙受けに積層することができるが、媒体反転機構を必要とするため装置が大型化する。このため、小型のプリンターにおいては通常フェイスアップ方式が採用されている。
【０００４】
しかし、フェイスアップ方式の場合、前記複数ページの文書の記録を実行すると記録順と逆に排紙受けに積層されてしまうため、ページ順が逆転してしまう。  
プリンタードライバーの設定により、文書の最終ページから記録を行う「逆順記録」を行うことも可能であるが、例えばページ数が多くデータ容量が大きい場合にはデータの読み込みに時間がかかってしまい、記録開始までの時間が長くなる。
【０００５】
ところで、前記プリンターは、一般的に机や棚等の台上に置いて使用されるとともに、記録後の媒体は水平方向に沿う方向に排出されて排紙受けに積層されるが、小型のプリンターにおいては設置スペースをより省スペース化するため、例えば前記媒体の排出方向を水平方向に対して急角度、すなわち、より鉛直方向に近い方向にすることにより、装置奥行方向のサイズを小さくするように構成されたプリンターがある。
【０００６】
特許文献１には、記録後の媒体を下方に排出する壁掛け式のプリンターにおいて、排紙トレイ５８の上流側に突起状の係止部７２を設け、フェイスアップ方式で排出される用紙４０の先端部４０ａを係止部７２に係止させて用紙４０を撓ませつつ反転させて、フェイスダウンの状態で排紙トレイ５８に載置する構成が開示されている。
【先行技術文献】
【特許文献】
【０００７】
【特許文献１】特開２００９−２４２０３１号公報
【発明の概要】
【発明が解決しようとする課題】
【０００８】
しかし、特許文献１に記載の排紙トレイ５８の構成では、排出される用紙４０が係止部７２に引っ掛かって座屈する虞がある。また、用紙４０を撓ませることによる変形の虞や、反転時に用紙の整列が乱れる虞がある。
【０００９】
上記問題点に鑑み、本発明の目的は、スループットの低下や排出された用紙の不適切な積層を抑制しつつ、記録後に排出される媒体の積層順の自由度を向上させることができる記録装置を提供することにある。
【課題を解決するための手段】
【００１０】
上記課題を解決するため、本発明の第１の態様に係る記録装置は、搬送される媒体に記録を行う記録部と、前記記録部により記録の行われた媒体を、鉛直方向下方のベクトル成分を有する姿勢で排出する排出手段と、前記排出手段により排出される媒体を受けて載置する排紙受けと、を備え、前記排紙受けは、その媒体載置面が前記排出される媒体の記録面と対向する第１位置と、前記媒体載置面が前記記録面の反対面と対向する第２位置と、を切り替え可能に構成されていることを特徴とする。
【００１１】
本態様によれば、前記排紙受けは、その媒体載置面が前記排出される媒体の記録面と対向する第１位置と、前記媒体載置面が前記記録面の反対面と対向する第２位置と、を切り替え可能に構成されているので、ソフトウェア処理に依存せずに排出される媒体の積層順を制御することができ、また、自然な姿勢で媒体を排出することができる。これによりスループットの低下や排出された媒体の不適切な積層を抑制しつつ、記録後に排出される媒体の積層順の自由度を向上させることができる。
【００１２】
本発明の第２の態様は、搬送される媒体に記録を行う記録部と、前記記録部により記録の行われた媒体を、鉛直方向下方のベクトル成分を有する姿勢で排出する排出手段と、前記排出手段により排出される媒体を受けて載置する排紙受けと、を備え、前記排紙受けは、媒体を載置する第１媒体載置面と、前記第１媒体載置面に対し反対側の面である、媒体を載置する第２媒体載置面と、を備えるとともに姿勢変化可能に設けられ、姿勢変化することにより前記第１媒体載置面が上を向く第１位置と前記第２媒体載置面が上を向く第２位置とを切り替えることを特徴とする。
【００１３】
本態様によれば、前記排紙受けは、第１媒体載置面が上を向く第１位置と第１媒体載置面に対し反対側の面である第２媒体載置面が上を向く第２位置とを切り替え可能に構成されているので、ソフトウェア処理に依存せずに排出される媒体の積層順を制御することができ、また、自然な姿勢で媒体を排出することができる。これによりスループットの低下や排出された媒体の不適切な積層を抑制しつつ、記録後に排出される媒体の積層順の自由度を向上させることができる。
【００１４】
本発明の第３の態様に係る記録装置は、第１のまたは第２の態様において、前記排紙受けは、支点部を支点として揺動することにより、前記第１位置と前記第２位置とを切り替える構成であることを特徴とするものである。
【００１５】
本態様によれば、前記排紙受けの前記第１位置と前記第２位置の切り替えを容易に行うことができる。
【００１６】
本発明の第４の態様に係る記録装置は、第３の態様において、前記排紙受けを、前記第１位置または前記第２位置で保持するロック部を備えることを特徴とするものである。
【００１７】
本態様によれば、揺動可能に構成された排紙受けを、前記第１位置または前記第２位置において確実に保持させることができる。
【００１８】
本発明の第５の態様に係る記録装置は、第１の態様から第４の態様のいずれかにおいて、前記排紙受けを変位させる駆動源と、前記駆動源を制御する制御部と、を備えることを特徴とするものである。
【００１９】
本態様によれば、前記排紙受けにおける前記第１位置と前記第２位置の切り替えを自動で行うことができる。
【００２０】
本発明の第６の態様に係る記録装置は、第５の態様において、前記制御部は、プリンタードライバーの設定に基づき前記駆動源を制御することを特徴とするものである。
【００２１】
本態様によれば、プリンタードライバーの設定により、前記排紙受けを速やかに所望の位置に移動させることができる。
【００２２】
本発明の第７の態様に係る記録装置は、第１のまたは第２の態様において、前記排紙受けは、前記装置本体側に設けられる被係止部に係止される係止部を備え、前記装置本体は、前記係止部がそれぞれに係止可能な二つの被係止部を備え、一方の被係止部と前記係止部とが係止したときに、前記排紙受けが前記第１位置をとり、他方の被係止部と前記係止部とが係止したときに、前記排紙受けが前記第２位置をとるように構成されていることを特徴とするものである。
【００２３】
本態様によれば、構成簡単にして前記排紙受けの前記第１位置と前記第２位置の切り替えを行うことができる。
【図面の簡単な説明】
【００２４】
【図１】本発明の一実施例に係るプリンターの装置本体を表す斜視図。
【図２】本発明の一実施例に係るプリンターの媒体搬送経路を示す側断面図。
【図３】本発明の一実施例に係るプリンターの要部拡大図。
【図４】（Ａ）は、排紙受けが第１位置にある状態を示す図、（Ｂ）は、排紙受けが第２位置にある状態を示す図。
【図５】（Ａ）は、図４（Ａ）の要部拡大断面図、（Ｂ）は、図４（Ｂ）の要部拡大断面図。
【図６】排紙受けを第１位置と第２位置に変位させる駆動構成を説明する図。
【図７】本発明の一実施例に係るプリンターのブロック図。
【図８】本発明の他の実施例に係るプリンターにおいて排紙受けを第１位置と第２位置に変位させる構成を説明する図であり、（Ａ）は、排紙受けが第１位置にある状態を示す図、（Ｂ）は、排紙受けが第２位置にある状態を示す図。
【発明を実施するための形態】
【００２５】
以下において、本発明の一実施形態に係る記録装置について、添付図面を参照して説明する。尚、本発明はこれらによって制約されるものではない。
【００２６】
［実施例１］
本実施例の記録装置の一例として、インクジェット式プリンターを例に挙げる。  
図１は、本発明の一実施例に係るプリンターの装置本体を表す斜視図である。図２は、本発明の一実施例に係るプリンターの媒体搬送経路を示す側断面図である。図３は、本発明の一実施例に係るプリンターの要部拡大図である。図４は、（Ａ）は、排紙受けが第１位置にある状態を示す図、（Ｂ）は、排紙受けが第２位置にある状態を示す図である。図５は、（Ａ）は、図４（Ａ）の要部拡大断面図、（Ｂ）は、図４（Ｂ）の要部拡大断面図である。
【００２７】
また、各図において示すＸ−Ｙ−Ｚ座標系は、Ｘ方向が記録ヘッドの走査方向、Ｙ方向が記録装置の奥行き方向である。Ｚ方向は重力方向である。尚、各図の説明において、＋Ｙ方向を装置前面側とし、−Ｙ方向側を装置背面側とする。＋Ｘ側が装置前面から見て右側であり、−Ｘ側が装置前面から見て左側である。また、＋Ｚ方向を装置上方側とし、−Ｚ方向側を装置下方側とする。
【００２８】
まず、本発明の一実施例に係るインクジェット式プリンター１０（以下、プリンター１０と称する）の概略について、図１および図２に基づき説明する。  
図１に示すプリンター１０は、記録部としての記録ヘッド２８と対向するときに用紙Ｐがほぼ水平方向に搬送される横置き配置と、記録ヘッド２８と対向するときに用紙Ｐがほぼ鉛直方向に搬送される縦置き配置とを選択可能なものである。  
以下においては、壁掛け等のような縦置き配置の場合を例にとり説明する。
【００２９】
プリンター１０において用紙Ｐは、図１の−Ｚ方向、すなわち、鉛直方向下方へ搬送される構成である。尚、以下において、プリンター１０において媒体が搬送されていく方向を「下流」といい、これと反対の方向を「上流」という場合がある。
【００３０】
図１に示すプリンター１０は、プリンター本体１２を備え、プリンター本体１２の設置面１３を室内の壁等に面するように取り付けることができるように構成されている。  
プリンター本体１２の上方側（＋Ｚ方向側）には、用紙Ｐをセット可能な給送装置１４（ＡＳＦ）が設けられており（図２）、給送装置１４を構成するホッパー１６（図２）に用紙Ｐが積載されて傾斜姿勢に支持される。ホッパー１６の用紙搬送方向上流側（＋Ｚ側）には、ホッパー１６によって支持されていない用紙Ｐの後端側を支持する支持部材としてのペーパーサポート１８を備えている。
【００３１】
図２に示すホッパー１６は、用紙Ｐの載置面１６ａが給送ローラー２０に対して進退するように揺動可能に設けられているとともに、図示しない付勢手段によって給送ローラー２０側に付勢されている。ホッパー１６に複数枚セットされた用紙Ｐは、最上位の用紙Ｐが給送ローラー２０と接し、給送ローラー２０の回転により単位数ずつピックアップされて搬送方向下流に向けて給送される。
【００３２】
搬送方向上流側から送られる用紙Ｐは、用紙搬送手段２２によって、インクジェット記録ヘッド２８（以下、記録ヘッド２８）と対向する記録位置に搬送される。用紙搬送手段２２は、不図示のモーターによって回転駆動される搬送駆動ローラー２４と、搬送駆動ローラー２４との間で用紙Ｐを挟んで従動回転する搬送従動ローラー２６とを備えている。
【００３３】
記録ヘッド２８はキャリッジ３０に設けられている。キャリッジ３０は、インクを記録ヘッド２８に供給するためのインクカートリッジ３２を搭載するとともに、不図示のモーターからの動力を受け、用紙Ｐの幅方向（Ｘ軸方向）に往復動する。
【００３４】
記録ヘッド２８（図２）と対向する側（記録ヘッド２８の−Ｙ側）には、記録ヘッド２８のインク吐出面と用紙Ｐとの間のギャップを規定するプラテン３４が設けられている。記録ヘッド２８とプラテン３４との間において、用紙Ｐ等の媒体に記録ヘッド２８からインクを吐出することによって記録が実行される。
【００３５】
記録ヘッド２８の搬送方向下流側には、記録後の用紙Ｐを排出する排出手段３６が設けられている。本実施例において排出手段３６は、排出駆動ローラー３８と、排出駆動ローラー３８との間で用紙Ｐを挟んで従動回転する排出従動ローラー４０とによって構成されている。プリンター１０を縦置き配置している場合には、用紙Ｐは排出手段３６からほぼ鉛直方向下方（−Ｚ方向）に向けて排出される。  
排出手段３６の下流側（−Ｚ方向側）には、排出手段３６から排出される用紙Ｐを受けて載置する排紙受け４２（図１）が設けられている。排紙受け４２の構成については後に詳述する。
【００３６】
以上がプリンター１０の概略と、プリンター１０を縦置き配置した場合の媒体搬送経路である。尚、プリンター１０の設置面１３を机上等の水平面に置いて使用する横置き配置の場合も、用紙Ｐは同様の搬送経路を通って記録が実行されて排出手段３６から排出される。
【００３７】
次に、排紙受け４２について、図１および図３〜図５を用いて詳述する。  
排紙受け４２は、図１に示すような板状体であり、装置本体１２側に設けられる排紙受け支持部４４に取り付けられている。排紙受け４２の下流側端部には、排紙受け４２に載置された用紙Ｐの下流側への移動を規制するストッパー５０が設けられている。
【００３８】
４４は、排紙受け４２の揺動軸４６と係合する係合部４８を備え（図３を参照）、揺動軸４６を支点として排紙受け４２が揺動するとともに、図４（Ａ）に示す第１位置と、図４（Ｂ）に示す第２位置とを切り替え可能に構成されている。
【００３９】
排紙受け４２を第１位置にした場合［図４（Ａ）］には、符号５８ａで示す面が媒体載置面５８ａとなり［図５（Ａ）］、媒体載置面５８ａが排出される用紙Ｐの記録面（各図における＋Ｙ側の面）と対向するように載置される。  
排紙受け４２を第２位置にした場合［図４（Ｂ）］には、符号５８ｂで示す面が媒体載置面５８ｂとなり［図５（Ｂ）］、媒体載置面５８ｂが排出される用紙Ｐの記録面の反対側の面（各図における−Ｙ側の面）と対向するように載置される。
【００４０】
言い換えると、姿勢変化可能に設けられた排紙受け４２は、用紙Ｐを載置する第１媒体載置面５８ａと、第１媒体載置面５８ａに対し反対側の面である、用紙Ｐを載置する第２媒体載置面５８ｂと、を備え、姿勢変化することにより第１媒体載置面５８ａが上を向く第１位置［図４（Ａ）、図５（Ａ）］と第２媒体載置面５８ｂが上を向く第２位置［図４（Ｂ）、図５（Ｂ）］とを切り替えるように構成されている。
【００４１】
排紙受け４２を第１媒体載置面５８ａが上を向く第１位置にすると、図５（Ａ）に示すように、用紙Ｐの記録面（＋Ｙ側の面）が第１媒体載置面５８ａ側（下側）を向く、所謂フェイスダウンで用紙Ｐを載置することができるので、プリンタードライバーの設定による「逆順記録」等のソフトウェア処理を行うことなく、記録順に用紙Ｐを積載することができる。
【００４２】
また、排紙受け４２を第１媒体載置面５８ｂが上を向く第２位置にすることにより、用紙Ｐの記録面（＋Ｙ側の面）が上を向く、すなわちフェイスアップでの用紙Ｐの載置を行うこともできる。
【００４３】
尚、排紙受け４２の変位は、ユーザーが手動によって行うことができる。排紙受け４２は、第１位置または第２位置でその姿勢を保持するためのロック部５６（図３を参照）を備えている。ロック部５６としてはスナップフィット等の係合手段を用いることができる。本実施例では、排紙受け４２側に設けられる係合部５２と排紙受け支持部４４側に設けられる被係合部５４が係合することによって、排紙受け４２を第１位置または第２位置で保持するように構成されている。  
ロック部５６によって、揺動可能に構成された排紙受け４２を第１位置または第２位置において確実に保持させることができる。
【００４４】
以上説明したように、本実施形態の排紙受け４２によれば、排紙受け４２の姿勢を変化させるだけで、ソフトウェア処理に依存せずに排出される媒体の積層順を制御することができる。また、自然な姿勢で用紙Ｐを排出することができる。  
以って、スループットの低下や排出された媒体の不適切な積層を抑制しつつ、排出される用紙Ｐの積層順の自由度を向上させることができる。
【００４５】
［実施例２］
実施例１のように排紙受け４２の変位を手動で行う場合の他、排紙受け４２の変位を自動で行う場合ことも可能である。  
図６は、排紙受けを第１位置と第２位置に変位させる駆動構成を説明する図である。図７は、本発明の一実施例に係るプリンターのブロック図である。
【００４６】
プリンター６０は、排紙受け４２を変位させる駆動源６２と、駆動源６２を制御する制御部６４とを備えている。制御部６４によって排紙受け４２を変位させる駆動源６２を制御することにより、排紙受け４２の変位を自動で行うことができる。
【００４７】
駆動源６２による排紙受け４２の変位には、例えば、排紙受け４２の揺動軸４６を、ギア５１、ギア５３等を介してモーターやソレノイド等の駆動源６２の動力により回転させる構成（図６を参照）を採用可能である。
【００４８】
図７に示すように、制御部６４を備えるプリンター６０は、プリンタードライバー６６を介してプリンター６０の配置設定（縦置き配置または横置き配置）を把握するとともに、制御部６４がその情報に基づいて駆動源６２を駆動するように構成することができる。  
また、プリンター６０に例えば重力センサー６８を設け、重力センサー６８によりプリンター６０が縦置き配置されているか横置き配置されているかを検知し、その検知に基づいて制御部６４による制御を行うように構成してもよい。  
更に、プリンター６０に接続されたコンピューター７０側のプリンタードライバー７２を介してプリンターの配置設定を把握するように構成することも可能である。
【００４９】
［実施例３］
実施例３では図８に基づき、プリンターの他の実施例について説明する。図８は、本発明の他の実施例に係るプリンターにおいて排紙受けを第１位置と第２位置に変位させる構成を説明する図であり、（Ａ）は、排紙受けが第１位置にある状態を示す図、（Ｂ）は、排紙受けが第２位置にある状態を示す図である。  
本実施形態において実施例１と同一の構成については同一の符号を付し、その構成の説明は省略する。
【００５０】
本実施形態のプリンター８０において、排紙受け８２は係止部８４を備えている。装置本体１２側の９０には、排紙受け８２の係止部８４がそれぞれに係止可能な二つの被係止部９２ａと被係止部９２ｂを備えている。排紙受け８２の下流側端部には、排紙受け８２に載置された用紙Ｐの下流側への移動を規制するストッパー８８が設けられている。
【００５１】
そして、図８（Ａ）に示すように、一方の被係止部９２ａと係止部８４とが係止したときに、排紙受け８２は、媒体載置面８６が排出される用紙Ｐの記録面（＋Ｙ側の面）と対向する第１位置をとる。また、図８（Ｂ）に示すように、被係止部９２ｂと係止部８４とが係止したときに、排紙受け８２は、媒体載置面８６が排出される用紙Ｐの記録面の反対側の面（−Ｙ側の面）と対向する第２位置をとる。
【００５２】
以上の構成によって、構成簡単にして排紙受け８２の第１位置と第２位置の切り替えを行うことができる。このことにより、実施例１と同様に、排紙受け４２の姿勢を変化させるだけで排出される媒体の積層順を制御することができる。
【００５３】
本発明は上記実施例に限定されることなく、特許請求の範囲に記載した発明の範囲内で種々の変形が可能であり、それらも本発明の範囲内に含まれるものであることは言うまでもない。
【符号の説明】
【００５４】
１０  プリンター、１２  プリンター本体、１４  給送装置、
１６  ホッパー、１６ａ  載置面、１８  ペーパーサポート、
２０  給送ローラー、２２  用紙搬送手段、２４  搬送駆動ローラー、
２６  搬送従動ローラー、２８  記録ヘッド、３０  キャリッジ、
３２  インクカートリッジ、３４  プラテン、３６  排出手段、
３８  排出駆動ローラー、４０  排出従動ローラー、４２  排紙受け、
４４  排紙受け支持部、４６  揺動軸、４８  係合部、５０  ストッパー、
５２  係合部、５４  被係合部、５６  ロック部、
５８ａ  第１媒体載置面（媒体載置面）、５８ｂ  第２媒体載置面（媒体載置面）、
６０  プリンター、６２  駆動源、６４  制御部、６６  プリンタードライバー、
６８  重力センサー、７０  コンピューター、７２  プリンタードライバー、
８０  プリンター、８２  排紙受け、８４  係止部、８６  媒体載置面、
８８  ストッパー、９０  排紙受け支持部、９２ａ、９２ｂ  被係止部
Ｐ  用紙
【図１】
0006613571.tif 000002
【図２】
0006613571.tif 000003
【図３】
0006613571.tif 000004
【図４】
0006613571.tif 000005
【図５】
0006613571.tif 000006
【図６】
0006613571.tif 000007
【図７】
0006613571.tif 000008
【図８】
0006613571.tif 000009